(57)【要約】【課題】  意匠性が高く、且つ小型化したヒーターコントロール装置を提供することを目的とする。【解決手段】  円板状で中心に回転軸２２ａ，２３ａを有する少なくとも２個のノブ２２，２３と、前記ノブ２２、２３の外周の一部と略同一曲率を有し且つ前記ノブ２２、２３の一部を露出可能とする窓とを有する意匠面３１と、前記ノブ２２、２３の回転軸２２ａ，２３ａを前記意匠面３１と平行に支持可能とする軸受２１ａ，２１ｂ，２１ｃ，２１ｄとを有するハウジング２１と、前記２つのノブ２２、２３の間で、且つ意匠面３１に対して垂直に設けられたスイッチ用基板３０と、該スイッチ用基板３０に搭載された１個以上のプッシュスイッチ２４，２５とを具備して成るように構成する。【選択図】      図１
2005289208.tif 000002
【特許請求の範囲】
【請求項１】
円板状で中心に回転軸（２２ａ，２３ａ）を有する少なくとも２個のノブ（２２，２３）と、
前記ノブ（２２、２３）の外周の一部と略同一曲率を有し且つ前記ノブ（２２、２３）の一部を露出可能とする窓とを有する意匠面（３１）と、前記ノブ（２２、２３）の回転軸（２２ａ，２３ａ）を前記意匠面（３１）と平行に支持可能とする軸受（２１ａ，２１ｂ，２１ｃ，２１ｄ）とを有するハウジング（２１）と、
前記２つのノブ（２２、２３）の間で、且つ意匠面（３１）に対して垂直に設けられたスイッチ用基板（３０）と、該スイッチ用基板（３０）に搭載された１個以上のプッシュスイッチ（２４，２５）とを具備して成ることを特徴とするヒーターコントロール装置。
【請求項２】
前記ノブ（２２、２３）がモード変換ノブ（２２）及び温度コントロルノブ（２３）であることを特徴とする請求項１に記載のヒーターコントロール装置。
【請求項３】
前記プッシュスイッチ（２４）がデフロジック機能を制御するものであることを特徴とする請求項１に記載のヒーターコントロール装置。
【請求項４】
前記プッシュスイッチ（２５）が冷房補助機能を制御するものであることを特徴とする請求項１に記載のヒーターコントロール装置。
【発明の詳細な説明】
【技術分野】
【０００１】
本発明は、ヒーターコントロール装置に関し、さらに詳しく述べると、自動車に設けられるヒーターを調節するための機械式ヒーターコントロール装置において、意匠面と平行な軸を有する円板状のコントロール用ノブを採用したことにより意匠に新規性があり、且つ小型化、低安価化を可能としたヒーターコントロール装置に関する。
【背景技術】
【０００２】
周知の通り、自動車にはヒーターを調節するヒーターコントロール装置が設けられている。従来のヒーターコントロール装置の例として、特開２００２−３３９９４２号公報のヒーターコントロール装置がある。
【０００３】
図３はこの特開２００２−３３９９４２号公報のヒーターコントロール装置を示す正面図である。このヒーターコントロール装置は、意匠面１に対して垂直な軸を持つノブ２，３，４を用いてモードと温度コントロールを操作し、また、Ａ／Ｃプッシュスイッチ５及び内外気切り替え用プッシユスイッチ６，７を操作しデフロジック（窓ガラス曇り取り機能）及びMax Hot（暖房補助機能）の制御を行なうようになっている。
【０００４】
上記特開２００２−３３９９４２号公報のヒーターコントロール装置においては、Ａ／Ｃ及び内外気切り替え用スイッチ、モード位置検出スイッチ、及び温度コントロールスイッチが必要なため、それを載せる基板が大きくなり、ヒーターコントロール装置本体が大型になり、それに伴ってコスト高になるという問題がある。また、意匠の自由度も制約されるという問題もある。
【特許文献１】特開２００２−３３９９４２号公報
【発明の開示】
【発明が解決しようとする課題】
【０００５】
本発明は、上記のような従来の技術の問題点を解決することを目的とする。
本発明の目的は、意匠面と平行な軸を有する円板状のコントロール用ノブを採用することにより意匠に新規性があり、且つ小型化、低コスト化を可能としたヒーターコントロール装置を提供することにある。
本発明の上記したような目的やその他の目的は、以下の詳細な説明から容易に理解することができるであろう。
【課題を解決するための手段】
【０００６】
本発明の請求項１は、円板状で中心に回転軸２２ａ，２３ａを有する少なくとも２個のノブ２２，２３と、前記ノブ２２、２３の外周の一部と略同一曲率を有し且つ前記ノブ２２、２３の一部を露出可能とする窓とを有する意匠面３１と、前記ノブ２２、２３の回転軸２２ａ，２３ａを前記意匠面３１と平行に支持可能とする軸受２１ａ，２１ｂ，２１ｃ，２１ｄとを有するハウジング２１と、前記２つのノブ２２、２３の間で、且つ意匠面３１に対して垂直に設けられたスイッチ用基板３０と、該スイッチ用基板３０に搭載された１個以上のプッシュスイッチ２４，２５とを具備して成ることを特徴とする。
【０００７】
また、請求項２は、前記ノブ２２、２３がモード変換ノブ２２及び温度コントロルノブ２３であることを特徴とする。また、請求項３は、前記プッシュスイッチ２４がデフロジック機能を制御するものであることを特徴とする。また、請求項４は、前記プッシュスイッチ２５が冷房補助機能を制御するものであることを特徴とする。
【発明の効果】
【０００８】
本発明によれば、以下の詳細な説明から理解されるように、意匠面と平行な回転軸を持つノブを用い、且つ、プッシュスイッチを搭載した基板を意匠面に対して垂直に配設したことにより、小型化、低価格化が可能になり、また意匠性も優れたヒーターコントロール装置が得られる。
【発明を実施するための最良の形態】
【０００９】
引き続いて、本発明をその実施例を参照して説明する。なお、本発明は、これらの実施例によって限定されるものでないことは言うまでもない。
図１及び図２は本発明のヒーターコントロール装置の実施例を示す図で、図１（ａ）は正面図、図１（ｂ）は図１（ａ）のｂ―ｂ線における断面図、図１（ｃ）は図１（ａ）のＺ矢視図、図２は分解斜視図である。
【００１０】
本実施例は両図に示すように、クラスター等のパネル２０に取り付けられるヒーターコントロールのハウジング２１と、モード変換用ノブ２２、温度コントロール用ノブ２３、Ａ／Ｃスイッチ２４、内外気切り替え用スイッチ２５、２５′、モード変換用引き引きケーブル組立体２６、温度コントロール用引き引きケーブル組立体２７、モード表示体２８、温度コントロール表示体２９、及びスイッチ用基板３０等を具備して構成されている。
【００１１】
そして、前記モード変換用ノブ２２、及び温度コントロール用ノブ２３は同一直径の円板状をなし、その中心にそれぞれ回転軸２２ａ，２３ａを有している。
【００１２】
また、前記ハウジング２１は、図１に示すように、その表面が意匠面３１となっており、該意匠面３１は各ノブ２２，２３の外周の一部とほぼ同一の曲率を有する曲面をなし、その意匠面に各ノブ２２，２３を露出させる窓及び各ノブに対するそれぞれ必要なシンボルが形成されている。また該ハウジング２１の後部の箱状部には各ノブの軸を支持する軸受２１ａ，２１ｂ，２１ｃ，２１ｄ設けられている。
【００１３】
また、前記モード変換用ノブ２２は、その回転軸２２ａをハウジング２１に設けられた軸受２１ａ，２１ｂに回転可能に支持され、且つ回転軸２２ａの一方端には傘歯車２２ｂが形成され、他方にはモード表示体２８を回転可能に支持して中間歯車２２ｃにより回転させることができるようになっている。さらに、回転軸２２ａに対して直角に設けられた軸２６ａの先端にモード変換用引き引きケーブル組立体２６のプーリ２６ｂが取り付けられ、軸２６ａに設けられた傘歯車に前記モード変換用ノブ２２の回転軸２２ａの傘歯車２２ｂが噛み合わされている。
【００１４】
また温度コントロール用ノブ２３はその回転軸２３ａをハウジング２１に設けられた軸受２１ｃ，２１ｄに回転可能に支持され、その回転軸２３ａの中間に温度コントロール表示体２９を回転可能に支持し、中間歯車２３ｃにより回転させることができるようになっている。さらに回転軸２３ａの先端には温度コントロール用引き引きケーブル組立体２７のプーリ２７ａが固定されている。
【００１５】
また、前記スイッチ用基板３０はハウジング２１の意匠面に対して垂直に、且つ、モード変換用ノブ２２と温度コントロール用ノブ２３との間に位置してハウジング２１に固定されている。そして、該スイッチ用基板３０にはＡ／Ｃスイッチ２４、内外気切り替え用スイッチ２５が取り付けられている。なお該Ａ／Ｃスイッチ２４及び内外気切り替え用スイッチ２５にはそれぞれ表面円弧状のスイッチノブ２４ａ，２５ａ、２５ａ′が取り付けられている
【００１６】
このように構成された本実施例は、Ａ／Ｃスイッチ２４、内外気切り替え用スイッチ２５、２５′を操作してデフロジック（窓ガラス曇り取り機能）及びMax Hot（暖房補助機能）の制御を行なうことができる。また、各ノブ２２，２３を回動させることにより夫々に固定されている引き引きケーブル組立体２６，２７のプーリ２６ｂ，２７ａを回動し夫々の引き引きケーブルを操作してヒーターユニットの所要のコントロールをすることができる。
【００１７】
また、このように構成された本実施例は、円板状のノブが意匠面に対して垂直であるため,従来の意匠面に対して平行に回転するノブの如く、ノブとノブとの間に指が通らないため、ノブとノブとの間隔を、従来必要であった約１７ｍｍを狭くすることが可能となり、また、スイッチ用基板をノブとノブとの間に配置したことによりハウジングの大きさを小型化することができる。
【００１８】
以上、本発明を特にその最良の形態について説明した。最後のまとめとして、本発明の構成及びそのバリエーションを以下に付記として列挙する。
モード表示体および温度コントロール表示体はノブと一体化してもよい。また、本実施例は横向きであるが、縦向きとしても良い。
【図面の簡単な説明】
【００１９】
【図１】本発明のヒーターコントロール装置の実施例を示す図で、（ａ）は正面図、（ｂ）は（ａ）図のｂ−ｂ線における断面図、（ｃ）は（ａ）図のＺ矢視図である。
【図２】本発明のヒーターコントロール装置の実施例の分解斜視図である。
【図３】従来のヒーターコントロール装置の１例を示す断面図である。
【符号の説明】
【００２０】
２０…パネル
２１…ハウジング
２２…モード変換用ノブ
２３…温度コントロール用ノブ
２４…Ａ／Ｃプッシュスイッチ
２５…内外気切り替え用プッシュスイッチ
２６…モード変換用引き引きケーブル組立体
２７…温度コントロール用引き引きケーブル組立体
２８…モード表示体
２９…温度コントロール表示体
３０…スイッチ用基板
３１…意匠面
【図１】
2005289208.tif 000003
【図２】
2005289208.tif 000004
【図３】
2005289208.tif 000005